(57)【要約】【課題】外部装置のアプリ変更を必要とすることなく、簡単に不要なレシートの発行を無くすことができるレシート発行装置およびその制御方法、並びにレシート発行システムを提供する。【解決手段】決済情報を送信する外部装置６０から、決済情報を受信する決済情報受信手段と、受信した決済情報を印刷することにより、会計レシートＲを発行するレシート発行手段と、所定の媒体Ｃを検出する媒体検出手段４２と、を備え、レシート発行手段は、決済情報を受信した後、所定時間内に媒体Ｃを検出した場合、会計レシートＲを発行せず、所定時間内に媒体Ｃを検出しなかった場合、会計レシートＲを発行する。【選択図】図４
2010044676.tif 000002
【特許請求の範囲】
【請求項１】
決済情報を送信する外部装置から、前記決済情報を受信する決済情報受信手段と、
受信した前記決済情報を印刷することにより、前記会計レシートを発行するレシート発行手段と、
決済に用いる所定の媒体を検出する媒体検出手段と、を備え、
前記レシート発行手段は、
前記決済情報を受信した後、所定時間内に前記媒体を検出した場合、前記会計レシートを発行せず、前記所定時間内に前記媒体を検出しなかった場合、前記会計レシートを発行することを特徴とするレシート発行装置。
【請求項２】
前記媒体は、電子決済が可能な情報記録媒体であり、
前記決済情報を受信した後、前記媒体検出手段により、前記所定時間内に前記情報記録媒体を検出した場合、前記情報記録媒体に対して前記決済情報の書き込みを行う決済情報書込手段をさらに備えたことを特徴とする請求項１に記載のレシート発行装置。
【請求項３】
前記情報記録媒体は、書き換え可能な印刷領域を有し、
前記決済情報の少なくとも一部を前記印刷領域に印刷する決済情報印刷手段をさらに備えたことを特徴とする請求項２に記載のレシート発行装置。
【請求項４】
請求項１ないし３のいずれかに記載のレシート発行装置と、前記外部装置と、から構成されることを特徴とするレシート発行システム。
【請求項５】
決済情報を受信した後、
所定時間内に決済に用いる所定の媒体を検出した場合、前記会計レシートを発行せず、
前記所定時間内に前記媒体を検出しなかった場合、前記会計レシートを発行することを特徴とするレシート発行装置の制御方法。
【発明の詳細な説明】
【技術分野】
【０００１】
本発明は、顧客の購入商品に関する会計レシートを発行するレシート発行装置およびその制御方法、並びにレシート発行システムに関するものである。
【背景技術】
【０００２】
従来、顧客が購入した商品の決済（会計）処理を行い、その決済情報（会計情報）をレシートとして発行するシステムが知られている。例えば、特許文献１には、レシートの発行方法として、紙レシートの発行または／および電子レシートの発行、またはレシート不要を、顧客が選択できるレシート発行システムが記載されている。このシステムでは、ＰＯＳ端末の表示部（顧客に対して各種情報を表示する表示部）に、「レシート不要」、「電子レシート希望」、および「両方とも希望」の選択肢を表示し、顧客がこれらの選択肢の中からいずれかを選択することで、顧客が希望するレシートを発行する（あるいは、レシートを発行しない）。また、顧客が上述の選択肢を選択しない場合は、レシート用紙に印刷したレシート（紙レシート）を発行する。
【特許文献１】特開２００４−１５１８３８号公報
【発明の開示】
【発明が解決しようとする課題】
【０００３】
ところで、上述のレシート発行システムでは、顧客が買い物をする度に（決済をする度に）レシートの発行方法を選択する操作をしなければならず、顧客が煩わしさを感じることが考えられる。このため、実際にはレシートが不要な顧客（例えば、電子マネーで決済をした顧客）であっても、レシート発行方法（「電子レシート希望」や「レシート不要」）を選択しないまま決済を終えてしまい、結果として不要なレシート（紙レシート）を発行してしまうという問題がある。また、上記のレシート発行方法を選択する機能を実現するためには、ＰＯＳ端末側のアプリケーションの変更が必要となり、導入コストが嵩むといった問題がある。
【０００４】
本発明は、上記の問題に鑑みたものであり、外部装置のアプリ変更を必要とすることなく、簡単に不要なレシートの発行を無くすことができるレシート発行装置およびその制御方法、並びにレシート発行システムを提供することを目的とする。
【課題を解決するための手段】
【０００５】
本発明のレシート発行装置は、決済情報を送信する外部装置から、決済情報を受信する決済情報受信手段と、受信した決済情報を印刷することにより、会計レシートを発行するレシート発行手段と、決済に用いる所定の媒体を検出する媒体検出手段と、を備え、レシート発行手段は、決済情報を受信した後、所定時間内に媒体を検出した場合、会計レシートを発行せず、所定時間内に媒体を検出しなかった場合、会計レシートを発行することを特徴とする。
【０００６】
この構成によれば、決済情報を受信した後、所定時間内に決済に用いる所定の媒体を検出するか否かによって、会計レシートを発行する／しないを決定する。決済時（会計時）に違和感無く用いられる媒体により、会計レシートを発行する／しないを決定することで、顧客および店員が意識することなく、且つ顧客による特別な操作なしに、不要な会計レシートの発行を無くすことができる。
また、印刷装置側で媒体の検出の有無を判定し、この結果によって会計レシートを発行する／しないを決定するため、外部装置のアプリ変更をすることなく実現でき（外部装置にレシートの発行方法に関する特別な機能を追加する必要がなく実現でき）、導入コストを抑えることができる。
なお、所定の媒体としては、ＩＣカード、店舗が発行する会員カード、およびレシート不要を示す専用の媒体などが考えられる。
【０００７】
本発明のレシート発行装置において、媒体は、電子決済が可能な情報記録媒体であり、決済情報を受信した後、媒体検出手段により、所定時間内に情報記録媒体を検出した場合、情報記録媒体に対して決済情報の書き込みを行う決済情報書込手段をさらに備えたことが好ましい。
【０００８】
この構成によれば、電子決済可能な情報記録媒体を検出した場合、レシート用紙に決済情報を印刷した会計レシートを発行せずに、情報記録媒体に決済情報を書き込む。
一般的に、電子決済を行う場合、会計レシート（紙レシート）を必要としない場合が多い。このため、会計レシートを発行するか否かを決定するための媒体を電子決済が可能な情報記録媒体とすることは有効である。
また、このような情報記録媒体は、決済時（会計時）に違和感無く用いられるため、顧客および店員が意識することなく、不要な会計レシートの発行を無くすことができる。
【０００９】
本発明のレシート発行装置において、情報記録媒体は、書き換え可能な印刷領域を有し、決済情報の少なくとも一部を印刷領域に印刷する決済情報印刷手段をさらに備えたことが好ましい。
【００１０】
この構成によれば、情報記録媒体を所持する顧客が、簡単に決済情報を確認することができるため、利便性が良い。
【００１１】
本発明のレシート発行システムは、上記に記載のレシート発行装置と、外部装置と、から構成されることを特徴とする。
【００１２】
この構成によれば、外部装置のアプリ変更を必要とすることなく、不要なレシートの発行を無くすことができるレシート発行システムを提供することができる。
【００１３】
本発明のレシート発行装置の制御方法は、決済情報を受信した後、所定時間内に決済に用いる所定の媒体を検出した場合、前記会計レシートを発行せず、所定時間内に媒体を検出しなかった場合、会計レシートを発行することを特徴とする。
【００１４】
この方法によれば、決済情報を受信した後、所定時間内に決済に用いる所定の媒体を検出するか否かによって、会計レシートを発行する／しないを決定する。決済時（会計時）に違和感無く用いられる媒体により、会計レシートを発行する／しないを決定することで、顧客および店員が意識することなく、且つ顧客による特別な操作なしに、不要な会計レシートの発行を無くすことができる。
【発明を実施するための最良の形態】
【００１５】
以下、添付の図面を参照し、本発明の一実施形態に係るレシート発行装置について説明する。図１は、レシート発行装置１の概略断面図である。同図に示すように、レシート発行装置１は、その筐体２内に、ロール紙３（レシート用紙）を搬送する用紙搬送経路４と、当該用紙搬送経路４に隣接して設けられてロール紙３に対して印刷を行う印刷機構５と、ＩＣカードＣ（媒体、詳細は後述する）を搬送するカード搬送経路６と、このカード搬送経路６に隣接して設けられてＩＣカードＣに対して情報の読み書きを行うリーダ／ライタ７とを、収容している。また、筐体２の上面には、ユーザが各種操作を行うための操作部１１と、表示部１２と、が設けられ、用紙搬送経路４の出口近傍には、印刷されたロール紙３を切断するオートカッタ１３が設けられている。
【００１６】
印刷機構５は、ロール紙３に接触した状態で熱を加えて印刷するサーマルヘッド２１と、このサーマルヘッド２１との間にロール紙３を挟んで搬送するプラテンローラ２２と、サーマルヘッド２１の熱を逃がすための放熱板２３と、サーマルヘッド２１をプラテンローラ２２に向けて押圧付勢するヘッド押圧バネ２４と、を備えている。また、印刷機構５には、サーマルヘッド２１の位置を、プラテンローラ２２との間でロール紙３（またはＩＣカードＣ）を挟持して接触する挟持位置とプラテンローラ２２から離れる離間位置とのいずれかに切り換える歯車式のヘッドアップ機構２５が設けられている。
【００１７】
用紙搬送経路４は、ロール紙３を挟んで回転駆動される一対の紙送りローラ３１と、印刷機構５の搬送機構部品であるプラテンローラ２２と、プラテンローラ２２の上流側および下流側に配置された用紙ガイド３２、３４と、によって構成されており、プラテンローラ２２の上流には用紙検出器３３が配置されている。
【００１８】
カード搬送経路６は、一部が用紙搬送経路４と共通の共通経路８として構成されており、カード挿入口９の内方に設けられた一対のカード送りローラ４１と、印刷機構５と共通の搬送機構部品であるプラテンローラ２２と、によって構成されており、カード送りローラ４１の近傍にはカード挿入検出器４２とカード排出検出器４３と、が配置されている。
【００１９】
このように、レシート発行装置１は、サーマルヘッド２１と対をなすプラテンローラ２２が、共通経路８を構成する搬送機構部品とされているので、印刷機構５は用紙搬送経路４とカード搬送経路６に共有されている。
【００２０】
カードリーダ／ライタ７は、カード搬送経路６の奥端側（図中下端側）に設けられており、ＩＣカード用基板７ａとＩＣカード用電極７ｂとにより構成されている。
【００２１】
また、装置底部に配置された制御基板１０は、操作部１１からの入力信号や、用紙検出器３３、カード挿入検出器４２およびカード排出検出器４３の検出信号などに基づいて、ロール紙３、プラテンローラ２２、紙送りローラ３１およびカード送りローラ４１の各回転制御、サーマルヘッド２１の印刷制御、ヘッドアップ機構２５の駆動制御、カードリーダ／ライタ７の動作制御、表示部１２への出力信号、外部装置との入出力など、レシート発行装置１の全般をコントロールする。
【００２２】
さらに、制御基板１０の制御機能の中には、カード挿入口９にＩＣカードＣが挿入された際（共通経路８にＩＣカードＣが搬送される際）に、その共通経路８上からロール紙３を退避させる機能、並びに、ＩＣカードＣが装置内の共通経路８に搬入された際にはサーマルヘッド２１に可逆性感熱記録層５２（図２参照）における可視情報の消去動作を行わせ、共通経路８から搬出される際にはサーマルヘッド２１に可逆性感熱記録層５２における可視情報の記録動作を行わせる機能も含まれる。
【００２３】
次に、図２を参照して、ＩＣカードＣの構成について説明する。図２は、ＩＣカードＣの全体斜視図である。ＩＣカードＣは、ＩＣチップ５３を内蔵しており、その表面に、ＩＣチップ５３にアクセスするための電極５１と、加熱によって可視情報の印刷（記録）および消去が可能な可逆性感熱記録層５２（印刷領域）と、を備えている。ＩＣチップ５３は、ＣＰＵ、ＲＯＭ、ＲＡＭ、フラッシュＲＯＭ（いずれも図示省略）などにより主要部が構成されており、ＩＣカードＣ全体の制御を行うと共に、各種情報等を記憶する。
【００２４】
可逆性感熱記録層５２は、通常、特定温度より高い白濁温度（例えば、１３０℃）以上に加熱して、その後特定温度以下に冷却したときに白濁状態が得られると共に、白濁状態において透明化温度（例えば、１００℃〜１２０℃）に加熱し、その後特定温度以下に冷却したときに透明状態が得られる物質を、記録材料として塗布または貼り付けたものである。可逆性感熱記録層５２の材料によっては、逆に高温で可視情報を消去し、低温で可視情報を得られるものもある。また、消去した部分の色と可視できる部分の色との組み合わせも様々なものがある。このように、可逆性感熱記録層５２に印加する温度を異ならせることにより、可視情報を消去したり記録したりすることが可能となっている。
【００２５】
ここで、レシート発行装置１の動作について説明する。まず、ＩＣカードＣが挿入されていないときには、ロール紙３の用紙先端３ａ（図１参照）がサーマルヘッド２１を超えて後流側の用紙ガイド３４に至り、ロール紙３がプラテンローラ２２とサーマルヘッド２１に挟持されている。この状態で、印刷命令が入力されると、制御基板１０からの制御信号により、用紙送りローラ３１およびプラテンローラ２２が正転（図中矢印方向に回転）することで、用紙搬送経路４に沿ってロール紙３が送り出されると共に、サーマルヘッド２１によりロール紙３に対して必要な情報が印刷される。
【００２６】
一方、カード挿入口９にＩＣカードＣが挿入されると、カード挿入検出器４２がそれを検知することで、制御基板１０からの制御信号によりロール紙３の退避動作が実行される。すなわち、最初にヘッドアップ機構２５がサーマルヘッド２１をプラテンローラ２２から離れる離間位置まで引き離す。次に、用紙送りローラ３１およびプラテンローラ２２を逆転させることで、用紙先端３ａを用紙検出器３３が検知する位置まで戻す。この時点で、用紙送りローラ３１およびプラテンローラ２２は回転を停止する。
【００２７】
次に、その状態でカード送りローラ４１を正転させて、ＩＣカードＣを装置内に引き込む。ＩＣカードＣの先端がサーマルヘッド２１と対向する位置に到達したら、ヘッドアップ機構２５がサーマルヘッド２１を元の挟持位置に戻し、サーマルヘッド２１とプラテンローラ２２の間にＩＣカードＣを挟む。そして、プラテンローラ２２を逆転させて、ＩＣカードＣを更に奥へ搬送する。それと同時に、サーマルヘッド２１で所定熱量をＩＣカードＣの可逆性感熱記録層５２に加えることにより、該可逆性感熱記録層５２上に記録された可視情報を消去する。
【００２８】
ＩＣカードＣの電極５１がカードリーダ／ライタ７のＩＣカード用電極７ｂと接触する位置まで来たら、ＩＣカードＣの搬送を停止し、ＩＣカード用電極７ｂを介してＩＣカード用基板７ａによりＩＣカードＣの内部情報の読み取りおよび/または書き込みを行う。ＩＣカードＣが磁気ストライプにより磁気情報を持っている場合には、磁気ストライプが通過するカードリーダ／ライタ７の近傍に磁気ヘッドも搭載して、磁気情報の読み取りおよび／または書き込みを行うことも可能である。また、ＩＣカードＣのＩＣチップ５３はＲＦＩＤ等の非接触タイプでもよく、この場合、カードリーダ／ライタ７は無線により非接触で読み書きすればよい。
【００２９】
ＩＣカードＣに対する読み書き動作が終了したら、ＩＣカードＣの排出動作に移る。すなわち、プラテンローラ２２を正転させると共にカード送りローラ４１を逆転させて、ＩＣカードＣをカード挿入口９方向に搬送する。それと同時に、ＩＣカードＣの可逆性感熱記録層５２にサーマルヘッド２１で所定の熱量を加え可視情報を記録（印刷）する。
【００３０】
ＩＣカードＣがカード排出検出器４３によって検出されたら、引き続き所定量カード送りローラ４１を逆転してＩＣカードＣを排出する。次に、ヘッドアップ機構２５によりサーマルヘッド２１を一旦プラテンローラ２２から引き離し、紙送りローラ３１を正転させて、ロール紙３を所定量だけ紙送りする。ロール紙３の用紙先端３ａがサーマルヘッド２１に至るまで紙送りがなされたら、ヘッドアップ機構２５を戻してロール紙３をサーマルヘッド２１とプラテンローラ２２で挟持し、プラテンローラ２２を正転させて用紙先端３ａを下流側の用紙ガイド３４まで頭出しをする。これにより、初期状態に戻る。
【００３１】
次に、図３を参照し、上述のレシート発行装置１を適用した本発明のレシート発行システムＳＹについて説明する。なお、本発明のレシート発行システムＳＹでは、ＩＣカードＣを電子マネーの取引が可能なカード（情報記録媒体）とし、顧客は、当該ＩＣカードＣを用いることで電子決済を行うものとする。
【００３２】
図３は、本発明のレシート発行システムＳＹの制御ブロック図である。同図に示すように、レシート発行システムＳＹは、ＰＯＳコンピュータ６０（外部装置）およびレシート発行装置１により構成されている。
【００３３】
ＰＯＳコンピュータ６０は、販売商品の決済処理を行うものであり、ＣＰＵ６１（Central Processing Unit）、ＲＯＭ６２（Read Only Memory）、ＲＡＭ６３（Random Access Memory）、ＨＤＤ６４（Hard Disk Drive）、インターフェース６５（Ｉ／Ｆ）、およびＰＯＳ周辺機器６６を備えている。
【００３４】
ＣＰＵ６１は、ＰＯＳコンピュータ６０の動作全体を制御するものである。ＲＯＭ６２は、ＣＰＵ６１が各種処理を実行するための制御プログラムや制御データを記憶する。ＲＡＭ６３は、ＣＰＵ６１が各種処理を実行する際の作業領域として利用される。ＨＤＤ６４は、ＰＯＳアプリケーション６４ａおよびプリンタドライバ６４ｂを記憶している。ＰＯＳアプリケーション６４ａは、決済処理を行うプログラムであり、ＰＯＳ周辺機器６６を制御するための制御プログラムを含んでいる。プリンタドライバ６４ｂは、レシート印刷等の印刷制御を行うものである。インターフェース６５は、ＰＯＳ周辺機器６６およびレシート発行装置１と接続するものである。
【００３５】
ＰＯＳ周辺機器６６は、オペレータが商品に関する情報を入力するキーボード７１、商品に貼付、若しくは予め印刷されたバーコードを読み取るバーコードリーダ７２、入力された商品情報等を表示するディスプレイ７３（カスタマディスプレイおよびオペレータ用ディスプレイ）、キャッシュドロワ７４などがインターフェース６５を介して接続されている。
【００３６】
ＣＰＵ６１は、キーボード７１による入力、またはバーコードリーダ７２によるバーコードの読み取りによって、ＰＯＳサーバ（図示省略）から購入商品の商品情報を取得する。そして、ＣＰＵ６１は、ＰＯＳアプリケーション６４ａと協同して取得した商品情報を元に決済情報を生成し、インターフェース６５を介して当該決済情報をレシート発行装置１に送信する。
【００３７】
レシート発行装置１は、販売商品のレシートＲ（会計レシート）を発行するものであり、ＣＰＵ８１、ＲＯＭ８２、ＲＡＭ８３、検出部８４、搬送部８５、読み書き部８６（決済情報書込手段）、印刷部８７、切断部８８、計時部８９およびインターフェース９０を備えている。ＣＰＵ８１は、レシート発行装置１の動作全体を制御するものである。ＲＯＭ８２は、ＣＰＵ８１が各種処理を実行するための制御プログラムや制御データを記憶する。ＲＡＭ８３は、ＣＰＵ８１が各種処理を実行する際の作業領域として利用される。
【００３８】
インターフェース９０は、ＰＯＳコンピュータ６０と接続するものである。ＣＰＵ８１は、インターフェース９０を介してＰＯＳコンピュータ６０から決済情報や各種コマンドを受信する。
【００３９】
検出部８４は、各種検出を行うものであり、用紙検出器３３、カード挿入検出器４２（媒体検出手段）およびカード排出検出器４３によりその主要部が構成される。搬送部８５は、ロール紙３およびＩＣカードＣの搬送を行うものであり、紙送りローラ３１、プラテンローラ２２およびカード送りローラ４１によりその主要部が構成される。
【００４０】
読み書き部８６は、ＩＣカードＣのＩＣチップ５３から情報の読み取りおよび書き込みを行うものであり、カードリーダ／ライタ７によりその主要部が構成される。この読み書き部８６により、ＩＣカードＣに対してＰＯＳコンピュータ６０から受信した決済情報が書き込まれる（記録される）。
【００４１】
印刷部８７は、ロール紙３への印刷、並びにＩＣカードＣの可逆性感熱記録層５２への印刷および消去を行うものであり、サーマルヘッド２１によりその主要部が構成される。この印刷部８７により、ロール紙３にＰＯＳコンピュータ６０から受信した決済情報を印刷したり、あるいは、ＩＣカードＣの可逆性感熱記録層５２に、決済情報の少なくとも一部を印刷する。ＩＣカードＣの可逆性感熱記録層５２に、決済情報を印刷することで、当該ＩＣカードを所持する顧客が、簡単に決済情報を確認することができるため、利便性が良い。
【００４２】
切断部８８は、印刷後のロール紙３を切断するものであり、オートカッタ１３によりその主要部が構成される。印刷部８７により決済情報が印刷されたロール紙３は、切断部８８により所定長さに切断され、レシートＲ（会計レシート）として発行される。
【００４３】
計時部８９は、所謂ＲＴＣ（Real Time Clock）であり、日時をカウントする。本実施形態では、ＰＯＳコンピュータ６０からの決済情報を受信してから、ＩＣカードＣがカード挿入検出器４２によって検出されるまでの時間を取得するために用いられる。
【００４４】
以上の構成により、レシート発行装置１（ＣＰＵ８１）は、ＰＯＳコンピュータ６０から決済情報を受信すると、当該決済情報の受信をトリガとして、計時部８９により時間のカウントを開始する。そして、レシート発行装置１は、所定時間内にＩＣカードＣの挿入がカード挿入検出器４２により検出された場合（ＩＣカードを読み取った場合）、レシート用紙に決済情報を印刷したレシートＲを発行せず、所定時間内にＩＣカードＣが検出されない場合は、レシートＲを発行する。
【００４５】
ここで、図４のフローチャートを参照し、レシート発行装置１によりレシートＲを発行する処理（レシート発行処理）について説明する（レシート発行装置１の制御方法）。まず、レシート発行装置１は、ＰＯＳコンピュータ６０から決済情報を受信する（Ｓ０１，決済情報受信手段）。続いて、レシート発行装置１は、当該決済情報の受信後、所定時間内に、カード挿入検出器４２によりＩＣカードＣを検出したか否かを判定する（Ｓ３２）。
【００４６】
所定時間内にＩＣカードＣを検出した場合（Ｓ０３；Ｙｅｓ）、レシート発行装置１は、レシートＲ（紙レシート）を発行しないと判定する（Ｓ０４）。そして、レシート発行装置１は、ＩＣカードＣのＩＣチップ５３に受信した決済情報を記録する（書き込む）と共に（Ｓ０５）、ＩＣカードＣの可逆性感熱記録層５２に当該決済情報の少なくとも一部を印刷する（Ｓ０６，決済情報印刷手段）。その後、受信した（レシート発行装置１のＲＡＭ８３に記憶した）決済情報を消去し（Ｓ０７）、一連のレシート発行処理を終える。
【００４７】
一方、所定時間内にＩＣカードＣを検出しなかった場合（Ｓ０３；Ｎｏ）、レシート発行装置１は、レシートＲを発行すると判定し（Ｓ０８）、受信した決済情報をレシート用紙に印刷して、レシートＲを発行する（Ｓ０９，レシート発行手段）。そして、レシート発行装置１は、受信した（レシート発行装置１のＲＡＭ８３に記憶した）決済情報を消去し（Ｓ０７）、一連のレシート発行処理を終える。
【００４８】
以上のように、本実施形態によれば、レシート発行装置１は、決済情報を受信した後、所定時間内にＩＣカードＣを検出した場合、決済情報をＩＣカードＣに記憶し、レシートＲを発行しない。一方、所定時間内にＩＣカードＣを検出しなかった場合、レシートＲを発行する。一般的に、ＩＣカードＣを用いて電子決済を行う場合、レシートＲ（紙レシート）を必要としない場合が多い。このため、レシートＲを発行するか否かを決定するために、電子決済が可能なＩＣカードＣを用いることは有効である。また、このようなＩＣカードＣは、決済時（会計時）に違和感無く用いられるため、顧客および店員が意識することなく（特別な操作なしに）、不要なレシートＲの発行を無くすことができる。
【００４９】
また、レシート発行装置側でＩＣカードＣの検出の有無を判定し、この結果によってレシートＲを発行する／しないを決定するため、ＰＯＳコンピュータ６０のＰＯＳアプリケーション６４ａを変更することなく実現でき（ＰＯＳコンピュータ６０にレシートＲの発行方法に関する特別な機能を追加する必要がなく実現でき）、導入コストを抑えることができる。
【００５０】
なお、本実施形態では、レシート発行装置１の内部にリーダ／ライタ７を組み込んだものを例に挙げて説明しているが、これに限るものではなく、リーダ／ライタ７をレシート発行装置１とは別体に構成し、インターフェース９０を介して接続するようにしても良い。
【００５１】
また、本実施形態では、カード挿入検出器４２によりＩＣカードＣを検出したか否かを判定しているが、これに限るものではなく、読み書き部８６により当該ＩＣカードＣが読み取られたか否かにより、ＩＣカードＣの検出の判定をするようにしても良い。
【００５２】
また、本実施形態では、リーダ／ライタ７で読み取る媒体として、電子決済が可能なＩＣカードＣを例に挙げて説明しているが、これに限るものではなく、店舗が発行する会員カードやレシートＲが不要である旨を示す専用カードであっても良い。例えば、会員カードを用いる場合、会員カードにレシート発行不要を示す情報（以下、「レシート不要情報」と称す。）を事前に記憶しておき、読み書き部８６により、当該レシート不要情報を読み取った場合は、レシートを発行せず、レシート不要情報を読み取れなかった場合は（レシート不要情報が記録されていない場合）、レシートを発行することで実現可能である。レシートＲを発行するか否かを、決済時（会計時）に違和感無く用いられる会員カードにより行うことで、顧客および店員が意識することなく、不要なレシートＲの発行を無くすことができる。
【００５３】
また、上述した実施例によらず、レシート発行システムＳＹの装置構成や処理工程、およびレシート発行装置１の機器構成、処理工程および制御方法等について、本発明の要旨を逸脱しない範囲で、適宜変更も可能である。
【図面の簡単な説明】
【００５４】
【図１】本実施形態のレシート発行装置の概略断面図である。
【図２】本実施形態のＩＣカードの全体斜視図である。
【図３】本実施形態のレシート発行システムの制御ブロック図である。
【図４】レシート発行処理について説明するフローチャートである。
【符号の説明】
【００５５】
１…レシート発行装置  ５２…可逆性感熱記録層  ６０…ＰＯＳコンピュータ  ８４…検出部  ８６…読み書き部  ８７…印刷部  ８８…切断部  ＳＹ…レシート発行システム  Ｃ…ＩＣカード
【図１】
2010044676.tif 000003
【図２】
2010044676.tif 000004
【図３】
2010044676.tif 000005
【図４】
2010044676.tif 000006